(57)【要約】【課題】本発明は、エネルギー回収の効率を高めながらも、サステインパルスの電圧上昇を速くすることができるプラズマディスプレイ装置及びプラズマディスプレイパネルの駆動装置を提供する。【解決手段】プラズマディスプレイパネルと、エネルギーを供給又は回収するエネルギー格納部と、該エネルギー格納部から前記エネルギーを供給する経路を形成するエネルギー供給制御部と、該エネルギー供給制御部から供給されたエネルギーを共振によって前記プラズマディスプレイパネルに供給する第１の共振部と、該第１の共振部と共に共振を形成し、前記エネルギーを前記プラズマディスプレイパネルから前記エネルギー格納部に回収する第２の共振部と、前記第１の共振部と前記第２の共振部との間に位置し、前記エネルギーを回収する経路を形成するエネルギー回収制御部とを含む。【選択図】図４
2006171765.tif 000002
【特許請求の範囲】
【請求項１】
プラズマディスプレイパネルと、
エネルギーを供給又は回収するエネルギー格納部と、
該エネルギー格納部から前記エネルギーを供給する経路を形成するエネルギー供給制御部と、
該エネルギー供給制御部から供給されたエネルギーを共振によって前記プラズマディスプレイパネルに供給する第１の共振部と、
該第１の共振部と共に共振を形成し、前記エネルギーを前記プラズマディスプレイパネルから前記エネルギー格納部に回収する第２の共振部と、
前記第１の共振部と前記第２の共振部との間に位置し、前記エネルギーを回収する経路を形成するエネルギー回収制御部と、
を含むことを特徴とするプラズマディスプレイ装置。
【請求項２】
前記エネルギーが、前記プラズマディスプレイパネルに供給された後に、前記プラズマディスプレイパネルの電極の電圧を第１の電圧に維持する第１の電圧源部をさらに含むことを特徴とする請求項１に記載のプラズマディスプレイ装置。
【請求項３】
前記第1の電圧は、サステイン放電を維持するためのサステイン電圧であることを特徴とする、請求項２に記載のプラズマディスプレイ装置。
【請求項４】
前記エネルギーが、前記プラズマディスプレイパネルから回収された後に、前記プラズマディスプレイパネルの電極の電圧を第２の電圧に維持する第２の電圧源部をさらに含むことを特徴とする請求項１に記載のプラズマディスプレイ装置。
【請求項５】
前記第２の電圧は、グラウンドレベルの電圧であることを特徴とする請求項４に記載のプラズマディスプレイ装置。
【請求項６】
前記第１の共振部のインダクタンスは、前記第２の共振部のインダクタンスと同じであることを特徴とする請求項１に記載のプラズマディスプレイ装置。
【請求項７】
前記エネルギー供給制御部は、
前記エネルギー格納部に格納されていたエネルギーを、前記プラズマディスプレイパネルに供給するための経路を形成する第１のスイッチと、
該第１のスイッチに流れる逆電流を遮断するための第１のダイオードとを含み、
前記第１の共振部は、
前記エネルギー供給の際、共振を形成する第１のインダクタを含み、
前記エネルギー回収制御部は、
前記エネルギーを前記エネルギー格納部に回収するための経路を形成する第２のスイッチと、該第２のスイッチに流れる逆電流を遮断するための第２のダイオードとを含み、
前記第２の共振部は、
前記エネルギー回収の際、前記第１のインダクタと共に共振を形成する第２のインダクタを含むことを特徴とする、請求項１に記載のプラズマディスプレイ装置。
【請求項８】
前記第１のインダクタの一端は、前記第１のダイオードのカソード端と、前記第２のダイオードのアノード端とに接続され、
前記第１のインダクタの他端は、前記プラズマディスプレイパネルの電極と接続され、
前記第２のインダクタの一端は、前記第２のスイッチと接続され、
前記第２のインダクタの他端は、前記エネルギー格納部と接続されることを特徴とする、請求項７に記載のプラズマディスプレイ装置。
【請求項９】
プラズマディスプレイパネルを駆動する駆動装置であって、
エネルギーを供給又は回収するエネルギー格納部と、
該エネルギー格納部から前記エネルギーを供給する経路を形成するエネルギー供給制御部と、
該エネルギー供給制御部から供給されたエネルギーを共振によって前記プラズマディスプレイパネルに供給する第１の共振部と、
該第１の共振部と共に共振を形成し、前記エネルギーを、前記プラズマディスプレイパネルから前記エネルギー格納部に回収する第２の共振部と、
前記第１の共振部と前記第２の共振部との間に位置し、前記エネルギーを回収する経路を形成するエネルギー回収制御部と、
を含むことを特徴とするプラズマディスプレイパネルの駆動装置。
【請求項１０】
前記エネルギーが、前記プラズマディスプレイパネルに供給された後に、前記プラズマディスプレイパネルの電極の電圧を第１の電圧に維持する第１の電圧源部をさらに含むことを特徴とする請求項９に記載のプラズマディスプレイパネルの駆動装置。
【請求項１１】
前記第１の電圧は、サステイン放電を維持するためのサステイン電圧であることを特徴とする、請求項１０に記載のプラズマディスプレイパネルの駆動装置。
【請求項１２】
前記エネルギーが、前記プラズマディスプレイパネルから回収された後に、前記プラズマディスプレイパネルの電極の電圧を第２の電圧に維持する第２の電圧源部をさらに含むことを特徴とする請求項９に記載のプラズマディスプレイパネルの駆動装置。
【請求項１３】
前記第２の電圧は、グラウンドレベルの電圧であることを特徴とする、請求項１２に記載のプラズマディスプレイパネルの駆動装置。
【請求項１４】
前記第１の共振部のインダクタンスは、前記第２の共振部のインダクタンスと同じであることを特徴とする、請求項９に記載のプラズマディスプレイパネルの駆動装置。
【請求項１５】
前記エネルギー供給制御部は、
前記エネルギー格納部に格納されていたエネルギーを、前記プラズマディスプレイパネルに供給するための経路を形成する第１のスイッチと、
該第１のスイッチに流れる逆電流を遮断するための第１のダイオードと、
を含み、
前記第１の共振部は、
前記エネルギー供給の際、共振を形成する第１のインダクタを含み、
前記エネルギー回収制御部は、
前記エネルギーを前記エネルギー格納部に回収するための経路を形成する第２のスイッチと、
該第２のスイッチに流れる逆電流を遮断するための第２のダイオードと、
を含み、
前記第２の共振部は、
前記エネルギー回収の際、前記第１のインダクタと共に共振を形成する第２のインダクタを含むことを特徴とする請求項９に記載のプラズマディスプレイパネルの駆動装置。
【請求項１６】
前記第１のインダクタの一端は、前記第１のダイオードのカソード端と、前記第２のダイオードのアノード端とに接続され、
前記第１のインダクタの他端は、前記プラズマディスプレイパネルの電極と接続され、
前記第２のインダクタの一端は、前記第２のスイッチと接続され、
前記第２のインダクタの他端は、前記エネルギー格納部と接続されることを特徴とする、請求項１５に記載のプラズマディスプレイパネルの駆動装置。
【請求項１７】
プラズマディスプレイパネルと、
エネルギーを供給又は回収するエネルギー格納部と、
該エネルギー格納部と接続され、該エネルギー格納部から前記エネルギーを供給する経路を形成するエネルギー供給制御部と、
該エネルギー供給制御部と接続され、該エネルギー供給制御部から供給されたエネルギーを共振によって前記プラズマディスプレイパネルに供給する第１の共振部と、
該第１の共振部と接続され、前記プラズマディスプレイパネルから前記エネルギーを回収する経路を形成するエネルギー回収制御部と、
該エネルギー回収制御部と接続され、前記エネルギー回収の際、前記第１の共振部と共に共振を形成する第２の共振部と、
を含むことを特徴とするプラズマディスプレイ装置。
【請求項１８】
前記エネルギーが、前記プラズマディスプレイパネルに供給された後に、前記プラズマディスプレイパネルの電極の電圧を第１の電圧に維持する第１の電圧源部をさらに含むことを特徴とする、請求項１７に記載のプラズマディスプレイ装置。
【請求項１９】
前記エネルギーが前記プラズマディスプレイパネルから回収された後に、前記プラズマディスプレイパネルの電極の電圧を第２の電圧に維持する第２の電圧源部をさらに含むことを特徴とする、請求項１７に記載のプラズマディスプレイ装置。
【発明の詳細な説明】
【技術分野】
【０００１】
本発明は、プラズマディスプレイ装置及びプラズマディスプレイパネルの駆動装置に関する。
【背景技術】
【０００２】
図１は、従来のプラズマディスプレイパネルの構造を概略的に示した斜視図である。図１に示すように、従来のプラズマディスプレイパネルは、前面パネル１００と後面パネル１１０とからなる。前面パネル１００は、前面グラス基板１０１を含み、後面パネル１１０は、後面グラス基板１１１を含む。前面パネル１００と後面パネル１１０とは、一定の距離を隔てて平行に結合される。
【０００３】
前面グラス基板１０１上には、相互放電によりセルの発光を維持するための維持電極対１０２、１０３が形成される。維持電極対１０２、１０３は、スキャン電極１０２とサステイン電極１０３とからなる。スキャン電極１０２とサステイン電極１０３とのそれぞれは、透明なＩＴＯ（Ｉｎｄｉｕｍ  Ｔｉｎ  Ｏｘｉｄｅ）で形成された透明電極１０２ａ、１０３ａと、金属で形成されたバス電極１０２ｂ、１０３ｂとからなる。スキャン電極１０２は、スキャンのためのスキャン信号と、放電維持のための維持信号とを受け取る。サステイン電極１０３は、主に維持信号を受け取る。上部誘電体層１０４は、維持電極対１０２、１０３の上部に形成されて、放電電流を制限し、電極対間を絶縁させる。保護層１０５は、上部誘電体層１０４の上面に形成されて、放電条件を容易にするために、酸化マグネシウムＭｇＯで形成される。
【０００４】
後面グラス基板１１１上には、維持電極対１０２、１０３と交差されるようにアドレス電極１１３が配置される。下部誘電体層１１５は、アドレス電極１１３の上部に形成され、アドレス電極１１３とアドレス電極１１３との間を絶縁させる。隔壁１１２は、下部誘電体層１１５上に形成されて、放電セルを画定する。蛍光層１１４は、隔壁１１２と隔壁１１２との間に塗布されて、画像の表示のための可視光線を放出する。
【０００５】
前面グラス基板１０１と後面グラス基板１１１とは、シーリング材（sealing material）により貼り合わされる。排気工程が行われてから、ヘリウムＨｅ、ネオンＮｅ、キセノンＸｅなどのような不活性ガスは、プラズマディスプレイパネルの内部に注入される。
【０００６】
このような構造を有する従来のプラズマディスプレイパネルでは、画像を具現するために、１フレームを複数のサブフィールドに分け、各サブフィールドは、放電をリセット期間、アドレス期間及びサステイン期間に分ける。
【０００７】
一方、プラズマディスプレイ装置は、プラズマディスプレイパネルと駆動装置を含む。駆動装置は、サステイン期間に選択されたセルの放電を維持するために、交番されたサステインパルスをスキャン電極及びサステイン電極に印加するサステイン駆動回路を含む。
【０００８】
図２は、従来のプラズマディスプレイ装置に含まれたエネルギー回収回路を示す図である。図３は、従来のエネルギー回収回路によるサステインパルスの波形を示す図である。
【０００９】
第１のスイッチＱ１がターンオンされ、第２のスイッチＱ２、第３のスイッチＱ３及び第４のスイッチＱ４は、ターンオフされる。これにより、エネルギーが共振によってキャパシタＣ１からパネルＣｐに供給される。電極の電圧Ｖｐは、図３に示すように、グラウンドレベルからサステイン電圧Ｖｓまで上昇する。サステイン電圧Ｖｓは、アドレス期間の間に選択された放電セルで放電を維持させるための電圧である。
【００１０】
第３のスイッチＱ３がターンオンされ、第１のスイッチＱ１、第２のスイッチＱ２及び第４のスイッチＱ４は、ターンオフされる。これにより、電極の電圧Ｖｐは、図３に示すように、サステイン電圧Ｖｓに維持される。
【００１１】
第２のスイッチＱ２がターンオンされ、第１のスイッチＱ１、第３のスイッチＱ３及び第４のスイッチＱ４は、ターンオフされる。これにより、エネルギーが共振によってパネルＣｐからキャパシタＣ１に供給される。電極の電圧Ｖｐは、図３に示すように、サステイン電圧Ｖｓからグラウンドレベルまで下降する。
【００１２】
第４のスイッチＱ４がターンオンされ、第１のスイッチＱ１、第２のスイッチＱ２及び第３のスイッチＱ３は、ターンオフされる。これにより、電極の電圧Ｖｐは、図３に示すように、グラウンドレベルの電圧に維持される。
【００１３】
従来のエネルギー回収回路では、エネルギー回収とエネルギー供給のために、一つのインダクタＬ１が使用される。すなわち、インダクタＬ１のインダクタンス（inductance）が大きければ、消費電力が減少するため、エネルギー回収回路の駆動効率は高くなるが、サステインパルスの電圧上昇が緩やかになり、強い放電が発生し難い。
【発明の開示】
【発明が解決しようとする課題】
【００１４】
本発明の課題は、エネルギー回収の効率を高めながらも、サステインパルスの電圧上昇を速くすることができるプラズマディスプレイ装置及びプラズマディスプレイパネルの駆動装置を提供することである。
【課題を解決するための手段】
【００１５】
本発明の実施形態に係るプラズマディスプレイ装置は、プラズマディスプレイパネルと、エネルギーを供給又は回収するエネルギー格納部と、該エネルギー格納部から前記エネルギーを供給する経路を形成するエネルギー供給制御部と、該エネルギー供給制御部から供給されたエネルギーを共振によって前記プラズマディスプレイパネルに供給する第１の共振部と、該第１の共振部と共に共振を形成し、前記エネルギーを前記プラズマディスプレイパネルから前記エネルギー格納部に回収する第２の共振部と、前記第１の共振部と前記第２の共振部との間に位置し、前記エネルギーを回収する経路を形成するエネルギー回収制御部とを含む。
【００１６】
このプラズマディスプレイ装置では、第１共振部は、エネルギー供給制御部を介して供給されたエネルギーを共振によってプラズマディスプレイパネルに供給する。また、エネルギー回収制御部は、第１共振部と第２共振部との間に位置している。これにより、クランプダイオードなどのような部品を追加しなくても第１共振部と第２共振部との磁界の相互作用を抑制でき、エネルギー供給時のインダクタンスをエネルギー回収時のインダクタンスより小さくすることができるため、サステインパルスの電圧上昇を速くすることができる。
【００１７】
前記エネルギーが、前記プラズマディスプレイパネルに供給された後、前記プラズマディスプレイパネルの電極の電圧を第１の電圧に維持する第１の電圧源部をさらに含む。
【００１８】
前記第1の電圧は、サステイン放電を維持するためのサステイン電圧である。
【００１９】
前記エネルギーが、前記プラズマディスプレイパネルから回収されてから、前記プラズマディスプレイパネルの電極の電圧を第２の電圧に維持する第２の電圧源部をさらに含む。
【００２０】
前記第２の電圧は、グラウンドレベルの電圧である。
【００２１】
前記第１の共振部のインダクタンスは、前記第２の共振部のインダクタンスと同じである。
【００２２】
前記エネルギー供給制御部は、前記エネルギー格納部に格納されていたエネルギーを、前記プラズマディスプレイパネルに供給するための経路を形成する第１のスイッチと、該第１のスイッチに流れる逆電流を遮断するための第１のダイオードとを含み、前記第１の共振部は、前記エネルギー供給の際、共振を形成する第１のインダクタを含み、前記エネルギー回収制御部は、前記エネルギーを前記エネルギー格納部に回収するための経路を形成する第２のスイッチと、該第２のスイッチに流れる逆電流を遮断するための第２のダイオードとを含み、前記第２の共振部は、前記エネルギー回収の際、前記第１のインダクタと共に共振を形成する第２のインダクタを含む。
【００２３】
前記第１のインダクタの一端は、前記第１のダイオードのカソード端と、前記第２のダイオードのアノード端と共通に接続され、前記第１のインダクタの他端は、前記プラズマディスプレイパネルの電極と接続され、前記第２のインダクタの一端は、前記第２のスイッチと接続され、前記第２のインダクタの他端は、前記エネルギー格納部と接続される。
【００２４】
本発明の実施形態に係るプラズマディスプレイパネルの駆動装置は、エネルギーを供給又は回収するエネルギー格納部と、該エネルギー格納部から前記エネルギーを供給する経路を形成するエネルギー供給制御部と、該エネルギー供給制御部から供給されたエネルギーを共振によって前記プラズマディスプレイパネルに供給する第１の共振部と、該第１の共振部と共に共振を形成し、前記エネルギーを、前記プラズマディスプレイパネルから前記エネルギー格納部に回収する第２の共振部と、前記第１の共振部と前記第２の共振部との間に位置し、前記エネルギーを回収する経路を形成するエネルギー回収制御部とを含む。
【００２５】
前記エネルギーが、前記プラズマディスプレイパネルに供給されてから、前記プラズマディスプレイパネルの電極の電圧を第１の電圧に維持する第１の電圧源部をさらに含む。
【００２６】
前記第１の電圧は、サステイン放電を維持するためのサステイン電圧である。
【００２７】
前記エネルギーが、前記プラズマディスプレイパネルから回収された後、前記プラズマディスプレイパネルの電極の電圧を第２の電圧に維持する第２の電圧源部をさらに含む。
【００２８】
前記第２の電圧は、グラウンドレベルの電圧である。
【００２９】
前記第１の共振部のインダクタンスは、前記第２の共振部のインダクタンスと同じである。
【００３０】
前記エネルギー供給制御部は、前記エネルギー格納部に格納されていたエネルギーを、前記プラズマディスプレイパネルに供給するための経路を形成する第１のスイッチと、該第１のスイッチに流れる逆電流を遮断するための第１のダイオードとを含み、前記第１の共振部は、前記エネルギー供給の際、共振を形成する第１のインダクタを含み、前記エネルギー回収制御部は、前記エネルギーを、前記エネルギー格納部に回収するための経路を形成する第２のスイッチと、該第２のスイッチに流れる逆電流を遮断するための第２のダイオードとを含み、前記第２の共振部は、前記エネルギー回収の際、前記第１のインダクタと共に共振を形成する第２のインダクタを含む。
【００３１】
前記第１のインダクタの一端は、前記第１のダイオードのカソード端と、前記第２のダイオードのアノード端と共通に接続され、前記第１のインダクタの他端は、前記プラズマディスプレイパネルの電極と接続され、前記第２のインダクタの一端は、前記第２のスイッチと接続され、前記第２のインダクタの他端は、前記エネルギー格納部と接続される。
【００３２】
本発明の実施形態に係わるプラズマディスプレイ装置は、プラズマディスプレイパネルと、エネルギーを供給又は回収するエネルギー格納部と、該エネルギー格納部と接続され、該エネルギー格納部から前記エネルギーを供給する経路を形成するエネルギー供給制御部と、該エネルギー供給制御部と接続され、該エネルギー供給制御部から供給されたエネルギーを共振によって前記プラズマディスプレイパネルに供給する第１の共振部と、該第１の共振部と接続され、前記プラズマディスプレイパネルから前記エネルギーを回収する経路を形成するエネルギー回収制御部と、該エネルギー回収制御部と接続され、前記エネルギー回収の際、前記第１の共振部と共に共振を形成する第２の共振部とを含む。
【００３３】
前記エネルギーが、前記プラズマディスプレイパネルに供給されてから、前記プラズマディスプレイパネルの電極の電圧を第１の電圧に維持する第１の電圧源部をさらに含む。
【００３４】
前記エネルギーが、前記プラズマディスプレイパネルから回収された後、前記プラズマディスプレイパネルの電極の電圧を第２の電圧に維持する第２の電圧源部をさらに含む。
【発明の効果】
【００３５】
本発明によれば、共振部の相互間の空間的な配置を調節することにより、クランプダイオードなどのような追加的な部品の提供無しでも、共振部の相互間の磁界の影響を含むいろんな交互作用を低減させて、プラズマディスプレイパネルの駆動装置の駆動効率の低減を抑制する。
【発明を実施するための最良の形態】
【００３６】
以下、添付された図面を参照して本発明の好ましい実施形態をさらに詳細に説明する。
【００３７】
図４は、本発明の実施形態に係わるプラズマディスプレイ装置を示したものである。図４に示すように、本発明のエネルギー回収回路は、エネルギー格納部６０と、エネルギー供給制御部６１と、第１の共振部６５と、第１の電圧源部６３と、エネルギー回収制御部６２と、第２の共振部６６と、第２の電圧源部６４とを含む。
（エネルギー格納部）
エネルギー格納部６０は、供給されたり、回収された第１の電圧に該当するエネルギーを格納するエネルギー回収用キャパシタＣ１を含む。第１の電圧は、サステイン電圧の０．５倍である。サステイン電圧は、アドレシング期間に選択されたセルで放電が維持されるために必要な電圧である。
【００３８】
（エネルギー供給制御部）
エネルギー供給制御部６１は、エネルギー格納部６０から供給されるエネルギーの供給経路を形成する。エネルギー供給制御部６１は、第１のスイッチＱ１と、第１のダイオードＤ１とを含む。第１のスイッチＱ１は、ターンオンされ、エネルギー格納部６０のエネルギー回収用キャパシタＣ１に格納されていたエネルギーをプラズマディスプレイパネルＣｐに供給するための経路を形成する。第１のダイオードＤ１は、第１のスイッチＱ１がターンオンされた時、プラズマディスプレイパネルＣｐから第１のスイッチＱ１に流れる逆電流を遮断する。第１のスイッチＱ１の一端は、エネルギー回収用キャパシタＣ１の一端と接続され、第１のスイッチＱ１の他端は、第１のダイオードＤ１のアノード端と接続される。第１のダイオードのカソード端は、第１のインダクタＬ１の一端と接続される。
【００３９】
（第１の共振部）
第１の共振部６５は、エネルギーがエネルギー供給制御部６１の第１のスイッチＱ１を介してプラズマディスプレイパネルＣｐに供給される時、プラズマディスプレイパネルＣｐと共振を形成する。したがって、エネルギーがエネルギー供給制御部６１を介して供給される時、プラズマディスプレイパネルＣｐは、第１の共振部６５を経由して供給されるエネルギーによってサステイン電圧Ｖｓまで充電される。第１の共振部６５は、第１のインダクタＬ１を含む。第１のインダクタＬ１の一端は、第１のダイオードＤ１のカソード端と接続される。
【００４０】
（第１の電圧源部）
第１の電圧源部６３は、プラズマディスプレイパネルＣｐがサステイン電圧Vsまで充電されてから、プラズマディスプレイパネルＣｐの電極の電圧Ｖｐをサステイン電圧に維持する。第１の電圧源部６３は、サステイン電圧を供給するサステイン電圧源Ｖｓと第３のスイッチＱ３とを含む。第３のスイッチＱ３は、プラズマディスプレイパネルＣｐがサステイン電圧Ｖｓまで充電された時、ターンオンされ、プラズマディスプレイパネルＣｐの電極電圧がサステイン電圧Ｖｓに維持されるようにする。第３のスイッチＱ３の一端は、サステイン電圧源Ｖｓと接続され、第３のスイッチＱ３の他端は、第１のインダクタＬ１の他端とプラズマディスプレイパネルＣｐの電極と共通に接続される。
【００４１】
（エネルギー回収制御部）
エネルギー回収制御部６２は、プラズマディスプレイパネルＣｐからエネルギー格納部６０に回収されるエネルギーの回収経路を形成する。エネルギー回収制御部６２は、第２のスイッチＱ２と第２のダイオードＤ２とを含む。第２のスイッチＱ２は、ターンオンされ、プラズマディスプレイパネルＣｐに格納されていたエネルギーをエネルギー格納部６０のエネルギー回収用キャパシタＣ１に回収するための経路を形成する。第２のダイオードＤ２は、第２のスイッチＱ２がターンオンされた時、エネルギー回収用キャパシタＣ１から第２のスイッチＱ２に流れる逆電流を遮断する。第２のダイオードＤ２のアノード端は、第１のインダクタＬ１の一端及び第１のダイオードＤ１のカソード端と共通に接続され、第２のダイオードＤ２のカソード端は、第２のスイッチＱ２の一端と接続される。
【００４２】
（第２の共振部）
第２の共振部６６は、エネルギーがエネルギー回収制御部６２の第２のスイッチＱ２を介してプラズマディスプレイパネルＣｐから回収される時、プラズマディスプレイパネルＣｐ及び第１の共振部６５と共に共振を形成する。したがって、エネルギーがエネルギー回収制御部６２を介して回収される時、プラズマディスプレイパネルＣｐは、第１の共振部６５及び第２の共振部６６を経由して回収されるエネルギーによってグラウンドレベルの電圧まで充電される。第２の共振部６６は、第２のインダクタＬ２を含む。第２のインダクタＬ２の一端は、第２のスイッチＱ２の他端と接続され、第２のインダクタＬ２の他端は、エネルギー回収用キャパシタＣ１の一端と接続される。第２のインダクタＬ２のインダクタンスは、第１のインダクタＬ１のインダクタンスと異なる場合もあり、同じである場合もある。
【００４３】
（第２の電圧源部）
第２の電圧源部６４は、プラズマディスプレイパネルＣｐがグラウンドレベルの電圧まで充電されてから、プラズマディスプレイパネルＣｐの電極の電圧Ｖｐをグラウンドレベルの電圧に維持する。第２の電圧源部６４は、第４のスイッチＱ４を含む。第４のスイッチＱ４は、プラズマディスプレイパネルＣｐがグラウンドレベルの電圧まで充電された時ターンオンされることにより、プラズマディスプレイパネルＣｐの電極の電圧Ｖｐがグラウンドレベルの電圧まで維持されるようにする。第４のスイッチＱ４の一端は、第１のインダクタＬ１の他端とプラズマディスプレイパネルＣｐの電極と共通に接続され、第４のスイッチＱ３の他端は、接地される。
【００４４】
このような本発明の実施形態に係わるプラズマディスプレイ装置の動作を、図５を参照して詳細に説明する。
【００４５】
図５は、本発明の実施形態に係わるプラズマディスプレイ装置の動作のためのスイッチングタイミングとスイッチングによる電圧の波形及び電流の波形を示した図である。
【００４６】
第１の状態ｓｔａｔｅ１では、第１のスイッチＱ１がターンオンされ、第２のスイッチＱ２、第３のスイッチＱ３及び第４のスイッチＱ４は、すべてターンオフされる。したがって、エネルギー回収用キャパシタＣ１に格納されていたエネルギーがパネルＣｐに供給される。エネルギーが供給される経路は、エネルギー回収用キャパシタＣ１、第１のスイッチＱ１、第１のダイオードＤ１、第１のインダクタＬ１及びプラズマディスプレイパネルＣｐからなる。
【００４７】
第１のスイッチＱ１がターンオンされる時、第２の共振部６６は、フローティング状態（floating state）であり、第１のインダクタＬ１に流れる電流によって磁界が形成される。第１のインダクタＬ１は、エネルギー回収制御部６２によって第２のインダクタＬ２と離隔されているため、第１のインダクタＬ１に流れる電流によって形成された磁界が第２のインダクタＬ２に影響を与え難い。したがって、第１のインダクタＬ１と第２のインダクタＬ２との間の相互作用は抑制される。
【００４８】
仮に、第１のインダクタＬ１と第２のインダクタＬ２との間の相互作用が大きいとすれば、フローティング状態の第２のインダクタＬ２は、不要な共振を引き起こすため、サステイン放電に適当なエネルギー以上の不要なエネルギーがプラズマディスプレイパネルＣｐに供給されることになる。
【００４９】
しかし、本発明の実施形態に係るプラズマディスプレイ装置に含まれた第１の共振部６５は、エネルギー回収制御部６２によって第２のインダクタＬ２と離隔されており、第１のインダクタＬ１と第２のインダクタＬ２との間の相互作用は抑制されるので、不要な共振による駆動効率の低減が防止される。
【００５０】
第２の状態ｓｔａｔｅ２では、第３のスイッチＱ３がターンオンされ、第１のスイッチＱ１、第２のスイッチＱ２及び第４のスイッチＱ４は、ターンオフされる。これにより、プラズマディスプレイパネルＣｐの電極電圧Ｖｐは、サステイン電圧Ｖｓに維持される。
【００５１】
第３状態ｓｔａｔｅ３では、第２スイッチＱ２がターンオンされ、第１スイッチＱ１、第３スイッチＱ３及び第４スイッチＱ４は、すべてターンオフされる。したがって、プラズマディスプレイパネルＣｐに格納されていたエネルギーがエネルギー回収用キャパシタＣ１に回収される。エネルギーが回収される経路は、プラズマディスプレイパネルＣｐ、第１インダクタＬ１、第２ダイオードＤ２、第２スイッチＱ２、第２インダクタＬ２及びエネルギー回収用キャパシタＣ１からなる。
【００５２】
第１状態ｓｔａｔｅ１における共振は、第１のインダクタＬ１とプラズマディスプレイパネルＣｐとの間に形成され、第３の状態ｓｔａｔｅ３における共振は、第１のインダクタＬ１及び第２のインダクタＬ２と、プラズマディスプレイパネルＣｐ間に形成される。したがって、エネルギーがプラズマディスプレイパネルＣｐに供給される場合、第１のインダクタＬ１のインダクタンスによって共振が形成され、エネルギーがプラズマディスプレイパネルＣｐから回収される場合、第１のインダクタＬ１のインダクタンスと第２のインダクタＬ２のインダクタンスの和によって共振が形成される。これにより、エネルギー供給時のインダクタンスがエネルギー回収時のインダクタンスより小さいため、サステインパルスの電圧上昇速くなる。また、エネルギー回収時のインダクタンスが大きいため、消費電力が減少し、エネルギー回収時の効率が向上する。
【００５３】
一方、第２のスイッチＱ２がターンオンされる時、第１の共振部６５は、フローティング状態であり、第２のインダクタＬ２に流れる電流によって磁界が形成される。第２のインダクタＬ２は、エネルギー供給制御部６１によって第１のインダクタＬ１と離隔されているため、第２のインダクタＬ２に流れる電流によって形成された磁界が第１のインダクタＬ１に影響を与え難い。したがって、第１のインダクタＬ１と第２のインダクタＬ２との間の相互作用は抑制される。
【００５４】
仮に、第１のインダクタＬ１と第２のインダクタＬ２との間の相互作用が大きいとすれば、フローティング状態の第１のインダクタＬ１は、不要な共振を引き起こすため、必要なエネルギーより大きなエネルギーがプラズマディスプレイパネルＣｐから回収されることになる。
【００５５】
しかし、本発明の実施形態に係わるプラズマディスプレイ装置に含まれた第２の共振部６６は、エネルギー回収制御部６２によって第２のインダクタｌ２と離隔されており、第１のインダクタＬ１と第２のインダクタＬ２との間の相互作用は抑制されるので、不要な共振による駆動効率の低減が防止される。
【００５６】
第４の状態ｓｔａｔｅ４では、第４のスイッチＱ４がターンオンされ、第１のスイッチＱ１、第２のスイッチＱ２及び第３のスイッチＱ３は、ターンオフされる。したがって、プラズマディスプレイパネルＣｐに印加される電圧は、グラウンドレベルとなる。
【図面の簡単な説明】
【００５７】
【図１】従来のプラズマディスプレイパネルの構造を示した図である。
【図２】従来のプラズマディスプレイ装置に含まれたエネルギー回収回路を示した図である。
【図３】従来のエネルギー回収回路によるサステインパルスの波形を示した図である。
【図４】本発明の実施形態に係わるプラズマディスプレイ装置を示した図である。
【図５】本発明の実施形態に係わるプラズマディスプレイ装置の動作のためのスイッチングタイミングとスイッチングによる電圧の波形及び電流の波形を示した図である。
【図１】
2006171765.tif 000003
【図２】
2006171765.tif 000004
【図３】
2006171765.tif 000005
【図４】
2006171765.tif 000006
【図５】
2006171765.tif 000007